(57)【要約】【課題】複数の電線をプロテクタの端部でより確実に位置決め固定できるようにすることを目的とする。【解決手段】プロテクタ２０は、底板部２４と底板部２４の両側から立ち上がる一対の側壁部２６とを含み、複数の電線１４を含むワイヤーハーネス１２を収容可能なプロテクタ本体部２２と、プロテクタ本体部２２に対して底板部２４に対向する開口部を塞ぐように取付けられる蓋部４０とを備える。プロテクタ本体部２２の底板部２４の端部に、外方に延出する第１固定片部分２８が突設され、蓋部４０の端部に、第１固定片部分２８に対向しつつ、外方に延出する第２固定片部分４２が突設され、第２固定片部分４２が第１固定片部分２８よりも幅狭に形成されると共に、第２固定片部分４２の内面に電線位置決め用の突起部４４が形成されている。【選択図】図２
2015188294.tif 000002
【特許請求の範囲】
【請求項１】
底板部と前記底板部の両側から立ち上がる一対の側壁部とを含み、複数の電線を含むワイヤーハーネスを収容可能なプロテクタ本体部と、
前記プロテクタ本体部に対して前記底板部に対向する開口部を塞ぐように取付けられる蓋部と、
を備え、
前記プロテクタ本体部の底板部の端部に、外方に延出する第１固定片部分が突設され、
前記蓋部の端部に、前記第１固定片部分に対向しつつ、外方に延出する第２固定片部分が突設され、
前記第２固定片部分が前記第１固定片部分よりも幅狭に形成されると共に、前記第２固定片部分の内面に電線位置決め用の突起部が形成されている、プロテクタ。
【請求項２】
請求項１記載のプロテクタであって、
前記第２固定片部分は、前記第１固定片部分より薄く形成されている、プロテクタ。
【請求項３】
請求項１又は請求項２に記載のプロテクタであって、
前記第２固定片部分に、複数の前記突起部が、前記第２固定片部分の幅方向に沿って散在するように形成されている、プロテクタ。
【請求項４】
請求項１〜請求項３のいずれか１項に記載のプロテクタと、
複数の電線を含み、その延在方向の中間部が前記プロテクタに収容されると共に、前記第１固定片部分及び前記第２固定片部分に挟まれた状態で前記プロテクタから延出するワイヤーハーネスと、
前記第１固定片部分と、前記第２固定片部分と、それらの間の前記ワイヤーハーネスとを結束固定する結束部材と、
を備えるプロテクタ付ワイヤーハーネス。
【発明の詳細な説明】
【技術分野】
【０００１】
この発明は、ワイヤーハーネスを保護するプロテクタに関する。
【背景技術】
【０００２】
特許文献１は、プロテクタの端部でワイヤーハーネスを固定する技術を開示している。特許文献１は、プロテクタ本体の端部に断面Ｌ形状のテープ巻部を突設し、このテープ巻部のずれ防止用のリブを設ける技術を開示している。
【先行技術文献】
【特許文献】
【０００３】
【特許文献１】特開２００９−７７５１７号公報
【発明の概要】
【発明が解決しようとする課題】
【０００４】
しかしながら、特許文献１に開示の技術によると、複数本の電線が前記テープ巻部に固定される場合、中間にある電線をリブ防止用のリブに押し当てることが難しい。このため、一部の電線の位置決めが不十分となる。
【０００５】
そこで、本発明は、複数の電線をプロテクタの端部でより確実に位置決め固定できるようにすることを目的とする。
【課題を解決するための手段】
【０００６】
上記課題を解決するため、第１〜第４の態様に係るプロテクタは、底板部と前記底板部の両側から立ち上がる一対の側壁部とを含み、複数の電線を含むワイヤーハーネスを収容可能なプロテクタ本体部と、前記プロテクタ本体部に対して前記底板部に対向する開口部を塞ぐように取付けられる蓋部と、を備え、前記プロテクタ本体部の底板部の端部に、外方に延出する第１固定片部分が突設され、前記蓋部の端部に、前記第１固定片部分に対向しつつ、外方に延出する第２固定片部分が突設され、前記第２固定片部分が前記第１固定片部分よりも幅狭に形成されると共に、前記第２固定片部分の内面に電線位置決め用の突起部が形成されているものである。
【０００７】
第２の態様は、第１の態様に係るプロテクタであって、前記第２固定片部分は、前記第１固定片部分より薄く形成されているものである。
【０００８】
第３の態様は、第１又は第２の態様に係るプロテクタであって、前記第２固定片部分に、複数の前記突起部が、前記第２固定片部分の幅方向に沿って散在するように形成されているものである。
【０００９】
第４の態様は、第１〜第３のいずれか１つの態様に係るプロテクタと、複数の電線を含み、その延在方向の中間部が前記プロテクタに収容されると共に、前記第１固定片部分及び前記第２固定片部分に挟まれた状態で前記プロテクタから延出するワイヤーハーネスと、前記第１固定片部分と、前記第２固定片部分と、それらの間の前記ワイヤーハーネスとを結束固定する結束部材と、を備える。
【発明の効果】
【００１０】
第１〜第４の態様によると、幅狭に形成された第２固定片部分がワイヤーハーネスの中間にある電線により確実に押し当てられる。この第２固定片部分の内面に電線位置決め用の突起部が形成されているため、その突起部によって電線を位置決め固定できる。これにより、複数の電線をプロテクタの端部でより確実に位置決め固定できる。
【００１１】
第２の態様によると、前記第２固定片部分が容易に変形して、電線に対してより確実に押付けられる。これにより、複数の電線をプロテクタの端部でより確実に位置決め固定できる。
【００１２】
第３の態様によると、電線を、前記第２固定片部分の幅方向にも位置決めできる。
【図面の簡単な説明】
【００１３】
【図１】実施形態に係るプロテクタ付ワイヤーハーネスを示す部分斜視図である。
【図２】同上のプロテクタ付ワイヤーハーネスを示す正面図である。
【図３】プロテクタを示す斜視図である。
【図４】プロテクタを示す斜視図である。
【発明を実施するための形態】
【００１４】
以下、実施形態に係るプロテクタ及びプロテクタ付ワイヤーハーネスについて説明する。図１はプロテクタ付ワイヤーハーネス１０を示す部分斜視図であり、図２は同プロテクタ付ワイヤーハーネス１０を示す正面図であり、図３及び図４はプロテクタ２０を示す斜視図である。
【００１５】
プロテクタ付ワイヤーハーネス１０は、プロテクタ２０と、ワイヤーハーネス１２と、結束部材１８とを備える。
【００１６】
ワイヤーハーネス１２は、電力の供給或は信号の通信を行う電線１４を複数含んでおり、自動車等の車両において電気機器同士を接続する配線材として用いられる。ワイヤーハーネス１２は、少なくともプロテクタ２０に収容された状態では集合した状態に維持される。ワイヤーハーネス１２の延在方向の中間部がプロテクタ２０に収容され、その両端部がプロテクタ２０の両端側から外方に延出する。ワイヤーハーネスは、光ファイバを含んでいてもよい。ワイヤーハーネスは、その延在方向中間位置で分岐していてもよい。
【００１７】
プロテクタ２０は、プロテクタ本体部２２と、蓋部４０とを備える。
【００１８】
プロテクタ本体部２２は、樹脂等によって金型成型された部材であり、底板部２４と、一対の側壁部２６とを備える。
【００１９】
底板部２４は、細長板状に形成されている。底板部２４は、その延在方向の中間部等で、その幅方向又はその厚み方向に曲っていてもよい。
【００２０】
一対の側壁部２６は、底板部２４の両側部から底板部２４の一方主面側に立上がるように形成されている。なお、ここでは、一対の側壁部２６は、底板部２４に対して直交姿勢で立上がっているが、両者が湾曲部を介して繋がっていてもよい。
【００２１】
そして、底板部２４と一対の側壁部２６とで囲まれる空間内に、ワイヤーハーネス１２の延在方向の中間部を収容できるようになっている。ここでは、プロテクタ本体部２２内空間は、底板部２４の方向に沿って偏平な形状に形成され、複数の電線１４が当該空間内に偏平な状態に並列された状態で収容される。図１及び図２では、３つの電線１４が平行に接した状態で並ぶ様子が描かれているが、複数の電線が偏平な状態で集合された状態で、プロテクタ本体部２２内に収容され、その端部から延出していればよい。
【００２２】
このプロテクタ本体部２２の端部には、外方に延出する第１固定片部分２８が突設されている。第１固定片部分２８も、プロテクタ本体部２２と共に樹脂等によって一体形成された部分である。ここでは、底板部２４の一端部の一側部から中間部に至る部分から、外方に延出するようにして板状の第１固定片部分２８が突設されている。ここでは、第１固定片部分２８は、底板部２４の厚み寸法と同じである。また、ここでは、第１固定片部分２８の内面は、平面に形成されている。もっとも、第１固定片部分２８の内面にも、位置決め用の突起部が形成されていてもよい。
【００２３】
なお、第１固定片部分は、底板部の一端部の幅方向全体から外方に突出する形状であってもよいし、また、底板部の端部の端部の両側部を避けた中間部分からのみ外方に突出する形状であってもよい。
【００２４】
また、一方の側壁部２６の底板部２４よりの部分から外方に突出するようにして側片部分２９が突設されている。側片部分２９のうち底板部２４側の部分は、第１固定片部分２８の一側部と繋がっている。従って、第１固定片部分２８と側片部分２９とは、その突出方向に直交する方向においてＬ字状をなすように繋がっている。なお、側片部分２９は、省略されてもよい。
【００２５】
また、一対の側壁部２６の外面のうち底板部２４とは反対側の部分に、ロック受部２７が設けられている。ロック受部２７は、底板部２４に直交する方向に貫通する開口２７ｈを有しており、後述する蓋部４０のロック部が本開口２７ｈに挿通されることで、ロック受部２７に係止固定される。
【００２６】
蓋部４０は、樹脂等によって金型成型された部材であり、プロテクタ本体部２２に対して、底板部２４に対向する開口部を塞ぐように、取付可能に構成されている。ここでは、蓋部４０は、底板部２４と同様の細長板状に形成されており、底板部２４の反対側でプロテクタ本体部２２の開口部の全体を塞ぐ構成とされている。
【００２７】
蓋部４０の両端部のうち上記第１固定片部分２８が形成された側と同じ端部には、第２固定片部分４２が形成されている。第２固定片部分４２も、蓋部４０の他の部分と共に樹脂等で金型一体形成された部分である。
【００２８】
第２固定片部分４２は、間隔をあけて第２固定片部分４２に対向しつつ、外方に延出するように形成されている。ここでは、第２固定片部分４２は、蓋部４０の端部において、その両側部を除く中間部から外方に延出するように形成されている。
【００２９】
第２固定片部分４２は、第１固定片部分２８よりも幅狭に形成されている。ここでは、第１固定片部分２８の両側部が、第２固定片部分４２の両側部よりも内側に位置している。もっとも、第１固定片部分の両側部の少なくとも一方が、第２固定片部分４２のいずれかの側部よりも内側に位置していればよい。
【００３０】
第２固定片部分４２は、第１固定片部分２８よりも薄く形成されている。ここでは、底板部２４の厚み寸法と蓋部４０の厚み寸法とは同一であり、第２固定片部分４２の内面は、蓋部４０の内面と面一で繋がり、第２固定片部分４２の外面は、蓋部４０の外面に対して段部を介して凹んで連なっている。このため、第１固定片部分２８は、第２固定片部分４２よりも容易に弾性変形することができる（図１において２点鎖線で示す第２固定片部分４２参照）。もっとも、第１固定片部分２８と第２固定片部分４２とは同じ厚み寸法であってもよい。
【００３１】
また、第２固定片部分４２の内面には、電線位置決め用の突起部４４が形成されている。ここでは、複数の突起部４４が、第２固定片部分４２の幅方向に沿って散在するように形成されている。より具体的には、複数（図４では１２個）の突起部４４が、第２固定片部分４２の幅方向において複数（ここでは３つ）並び、第２固定片部分４２の突出方向において複数（ここでは４つ）並ぶように、縦横に間隔をあけて形成されている。
【００３２】
突起部４４は、点状突起形状に形成されている。突起部４４のより具体的な形状は、円柱状突起形状、円錐状突起形状、円錐の頂部を切り落したような突起形状、円錐の頂部を丸めたような突起形状である。その他、突起部は、多角形状の突起形状、半球状の突起形状等であってもよい。
【００３３】
もっとも、突起部４４が点状突起形状である必要はなく、第２固定片部分の幅方向又は突出方向に延在する細長い突起形状等であってもよい。また、突起部は、少なくとも１つあればよい。もっとも、複数の突起部が、第２固定片部分幅方向において散在、即ち、間隔をあけて設けられる構成であることが好ましい。
【００３４】
また、蓋部４０の両側部であって上記ロック受部２７に対応する位置には、ロック片４６が突設されている。ロック片４６は、蓋部４０の両側部からプロテクタ本体部２２側に向けて突出する板状部４６ａと、板状部４６ａの先端部の外面に突出するロック突部４６ｂとを備える。ロック突部４６ｂは、ロック片４６の先端側に向けて徐々に高さ寸法が小さくなる形状に形成されている。そして、ロック片４６をロック受部２７の開口２７ｈに挿通すると、ロック突部４６ｂが開口２７ｈを抜出た状態で、開口２７ｈの周縁部に抜止め係止する。これにより、ロック片４６とロック受部２７とがロックされ、蓋部４０がプロテクタ本体部２２に取付けられる。
【００３５】
ワイヤーハーネス１２は、第１固定片部分２８と第２固定片部分４２とに挟まれた状態で、プロテクタ２０から延出する。この際、好ましくは、偏平状態をなすワイヤーハーネス１２において、底板部２４側で並列する複数の電線１４の全てが第１固定片部分２８に接するように配設される。また、好ましくは、偏平状態をなすワイヤーハーネス１２において、蓋部４０側で並列する複数の電線１４のうち両側部にあるものを除く中間部にあるものが、第２固定片部分４２に接するように配設される。ここでは、並列状態で並ぶ３つの電線１４の全てが第１固定片部分２８に接し、中間の電線１４のみが第２固定片部分４２に接している。
【００３６】
なお、プロテクタ２０の他端部には、第１固定片部分２８と第２固定片部分４２と同様の固定片が設けられていてもよいし、第２固定片部分４２の同様の固定片のみ設けられていてもよい。
【００３７】
結束部材１８は、第１固定片部分２８と第２固定片部分４２とそれらの間のワイヤーハーネス１２とを結束した状態で固定する部材である。結束部材１８としては、結束バンド又は粘着テープを用いることができる。結束部材１８として結束バンドを用いた場合、第１固定片部分２８と第２固定片部分４２との間にワイヤーハーネス１２を配設した状態で、それらの周りに結束バンドを巻付けて締付け固定すればよい。結束部材１８として、粘着テープを用いた場合、第１固定片部分２８と第２固定片部分４２との間にワイヤーハーネス１２を配設した状態で、粘着テープを、それらの周りにきつく巻付け固定すればよい。
【００３８】
結束部材１８が第１固定片部分２８と第２固定片部分４２とそれらの間のワイヤーハーネス１２とに結束された状態では、第２固定片部分４２は、第１固定片部分２８よりも幅狭であるため、第２固定片部分４２は、ワイヤーハーネス１２に対して押付けられるように当該ワイヤーハーネス１２側に変形する。このため、突起部４４がワイヤーハーネス１２の幅方向中間の電線１４に強く押付けられることになる。
【００３９】
以上のように構成されたプロテクタ２０及びプロテクタ付ワイヤーハーネス１０によると、幅狭に形成された第２固定片部分４２がワイヤーハーネス１２の幅方向中間にある電線１４により確実に押し当てられる。そして、この第２固定片部分４２の内面に形成された電線位置決め用の突起部が、当該中間の電線１４に強く押し当てられる。これにより、ワイヤーハーネス１２の幅方向中間の電線１４をより確実に位置決め固定される。なお、ワイヤーハーネス１２の幅方向両側の電線に対しては、元々結束部材１８による結束力が作用しやすいため、その結束力によってそれらの電線をより確実に位置決め固定できる。これにより、複数の電線１４をプロテクタ２０の端部でより確実に位置決め固定できる。
【００４０】
これにより、ワイヤーハーネス１２のうちプロテクタ２０から延出する部分が、例えば、当該ワイヤーハーネス１２に取付けられたグロメットを車体に装着する作業中道に引っ張られたとしても、ワイヤーハーネス１２がプロテクタ２０から引出され難くなり、ワイヤーハーネス１２に対するプロテクタ２０の位置がより確実に一定に保たれる。
【００４１】
なお、ワイヤーハーネスが偏平でない場合であっても、複数の電線がプロテクタの幅方向に分散して束ねられていれば、同様に、第２固定片部分によって、プロテクタの幅方向中間における電線を位置決め固定できる。このため、ワイヤーハーネスが偏平であることは必須ではない。
【００４２】
しかも、第２固定片部分４２は、第１固定片部分２８よりも薄いため、この点からも、第２固定片部分４２は、電線１４に対してより確実に押付けられる。このため、複数の電線１４をプロテクタ２０の端部でより確実に位置決め固定できる。
【００４３】
また、複数の突起部４４が、第２固定片部分４２の幅方向において分散して形成されているため、当該複数の突起部４４が１つの電線１４に対して複数箇所で接触し、或は、複数の突起部が複数の電線１４のそれぞれに対して接触する。これにより、電線１４を第１固定片部分２８の幅方向においてより確実に位置決めでき、複数の電線１４の並列状態が乱れ難くなる。
【００４４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４５】
１０  プロテクタ付ワイヤーハーネス
１２  ワイヤーハーネス
１４  電線
１８  結束部材
２０  プロテクタ
２２  プロテクタ本体部
２４  底板部
２６  側壁部
２８  第１固定片部分
４０  蓋部
４２  第２固定片部分
４４  突起部
【図１】
2015188294.tif 000003
【図２】
2015188294.tif 000004
【図３】
2015188294.tif 000005
【図４】
2015188294.tif 000006